(57)【要約】【課題】観察画像の観察用に階調を調整した場合、観察画像と印刷画像との間で階調の再現特性が一致しなくなる。【解決手段】観察画像を表示画面に表示する画像処理装置に搭載される印刷制御装置として、（ａ）観察画像に対する印刷指示の有無を検出する印刷指示検出部と、（ｂ）印刷指示の検出時、観察画像の原画像データと共に、当該観察画像の観察用に一時的に加えられた階調補正に関する情報を印刷装置、又は外部記憶媒体に出力する階調補正情報出力制御部とを搭載するものを提案する。【選択図】図９
2006113987.tif 000002
【特許請求の範囲】
【請求項１】
観察画像を表示画面に表示する画像処理装置に搭載される印刷制御装置であって、
観察画像に対する印刷指示の有無を検出する印刷指示検出部と、
印刷指示の検出時、観察画像の原画像データと共に、当該観察画像の観察用に一時的に加えられた階調補正に関する情報を印刷装置、又は外部記憶媒体に出力する階調補正情報出力制御部と
を有することを特徴とする印刷制御装置。
【請求項２】
印刷装置に搭載される印刷制御装置であって、
観察画像の観察用に一時的に加えられた階調補正に関する情報が印刷データに付加されているか否かを判定する階調補正情報検出部と、
階調補正情報が付加されている場合、前記階調補正に関する情報に基づいて印刷データの階調を追加補正し、印刷画像の階調を観察画像に整合する階調整合部と
を有することを特徴とする印刷制御装置。
【請求項３】
観察画像を表示画面に表示する画像処理装置であって、
観察画像に対する印刷指示の有無を検出する印刷指示検出部と、
印刷指示の検出時、観察画像の原画像データと共に、当該観察画像の観察用に一時的に加えられた階調補正に関する情報を印刷装置、又は外部記憶媒体に出力する階調補正情報出力制御部と
を有することを特徴とする画像処理装置。
【請求項４】
観察画像の観察用に一時的に加えられた階調補正に関する情報が印刷データに付加されているか否かを判定する階調補正情報検出部と、
階調補正情報が付加されている場合、前記階調補正に関する情報に基づいて印刷データの階調を追加補正し、印刷画像の階調を観察画像に整合する階調整合部と
を有することを特徴とする印刷装置。
【請求項５】
観察画像を表示画面に表示する画像処理装置における印刷制御方法であって、
観察画像に対する印刷指示の有無を検出する処理と、
印刷指示の検出時、観察画像の原画像データと共に、当該観察画像の観察用に一時的に加えられた階調補正に関する情報を印刷装置、又は外部記憶媒体に出力する処理と
を有することを特徴とする印刷制御方法。
【請求項６】
印刷装置における印刷制御方法であって、
観察画像の観察用に一時的に加えられた階調補正に関する情報が印刷データに付加されているか否かを判定する処理と、
階調補正情報が付加されている場合、前記階調補正に関する情報に基づいて印刷データの階調を追加補正し、印刷画像の階調を観察画像に整合する処理と
を有することを特徴とする印刷制御方法。
【請求項７】
観察画像を表示画面に表示する画像処理装置に搭載されたコンピュータに、
観察画像に対する印刷指示の有無を検出する処理と、
印刷指示の検出時、観察画像の原画像データと共に、当該観察画像の観察用に一時的に加えられた階調補正に関する情報を印刷装置、又は外部記憶媒体に出力する処理と
を実行させることを特徴とするプログラム。
【請求項８】
印刷装置に搭載されたコンピュータに、
観察画像の観察用に一時的に加えられた階調補正に関する情報が印刷データに付加されているか否かを判定する処理と、
階調補正情報が付加されている場合、前記階調補正に関する情報に基づいて印刷データの階調を追加補正し、印刷画像の階調を観察画像に整合する処理と
を実行させることを特徴とするプログラム。
【発明の詳細な説明】
【技術分野】
【０００１】
発明の一つの形態は、観察画像を表示画面に表示する画像処理装置に搭載される印刷制御装置に関する。また、発明の一つの形態は、観察画像を表示画面に表示する画像処理装置に関する。また、発明の一つの形態は、観察画像を表示画面に表示する画像処理装置で実行される印刷制御方法に関する。また、発明の一つの形態は、観察画像を表示画面に表示する画像処理装置に搭載されたコンピュータで実行されるプログラムに関する。
発明の一つの形態は、印刷装置に搭載される印刷制御装置に関する。また、発明の一つの形態は、印刷装置に関する。また、発明の一つの形態は、印刷装置で実行される印刷制御方法に関する。また、発明の一つの形態は、印刷装置に搭載されたコンピュータで実行されるプログラムに関する。
【背景技術】
【０００２】
現在、医療現場では、医療情報の電子化が進んでいる。これに伴い、電子撮影装置で撮影された医療診断用画像を、撮影後すぐに観察できる環境が整いつつある。
医療診断用画像には、例えばＸ線撮影画像、ＭＲ画像その他がある。この種の画像は、「透して見た影」と言われるように、そのほとんどが単一色の画像である。加えて、この種の画像には、被写体に奥行きを感じさせる立体的な陰影がない。このため、この種の画像は、影として表現される濃淡だけが唯一の情報である。
従って、医療診断用画像には、表示画面や印刷物上での濃淡情報の再現性が重要となる。すなわち、画像が有する階調の再現性が、迅速な診断と正確な診断には不可欠となる。
ところで、表示装置に表示された患部やその他の注目領域を更に詳細に観察するため、観察画像の輝度やコントラストを変えて観察したい場合がある。
また、表示画面上の観察画像の見え方は表示装置の設置環境、例えば部屋の明るさ等に応じて違うため、観察が容易なように画像の輝度やコントラストを変えて観察したい場合がある。
このような必要性から、観察者が選択可能な複数のガンマ特性を複数用意し、観察画像の階調を変更できるアプリケーション・ソフトウェアが開発されている。以下、より詳細に説明する。
【０００３】
図１に、一般的な画像印刷システム例を示す。この画像印刷システムは、観察画像を処理する画像処理装置１、観察画像を表示する表示装置３、通信路５又は外部記憶媒体７を経由して与えられた画像データ（印刷データ）を印刷する印刷装置９とで構成される。
ここで、通信路５は有線路でも無線路でも良く、ネットワーク経由でも良い。また、外部記憶媒体７は可搬型の記憶媒体として、例えば半導体メモリ、光学式記憶媒体、磁気記憶媒体その他を使用する。
図２に、画像処理装置１で起動されたアプリケーション・ソフトウェアによるモノクロ画像の表示例を示す。このアプリケーション・ソフトウェアには、ユーザー・インターフェースを通じて観察者が画像表示系の階調再現特性を切り替えられる機能が搭載されている。図３にユーザー・インターフェース例を示す。この例の場合、５種類のガンマボタンが用意されており、階調補正曲線の選択又は調整が可能になっている。
図４に、階調補正曲線例（以下「ガンマ補正曲線」ともいう。）を示す。これらの曲線によって原画像データを補正することで画像表示の明るさを変えることができる。
この例の場合、M-Curve(a)が最も暗くｂ、ｃ、ｄの順に明るくなる。ここで、ａ〜ｄは、図３のカーブＡ〜Ｄに対応する。
なお、ユーザー・インターフェース上でカスタム入力が選択された場合、マウスのドラッグ・アンド・ドロップにより任意の曲線を選択することもできる。図５に３次曲線関数による階調補正曲線例とそのユーザー・インターフェース例を示す。
【０００４】
一般的にＣＲＴ（Cathode Ray Tube）方式を始めとした表示装置は、入力値に対する出力値の輝度特性が直線的な比例関係にはなっておらず、ある値から徐々に光始めて急に光量を増す曲線状の固有の出力特性を有する。この曲線のことを“モニターのガンマ曲線”という。
従って、画像データをそのまま階調補正無しに表示装置に与えると、表示画像に階調上の歪が生じるのを避け得ない。しかし、実際には、コンピュータで扱う画像データは初めからこの曲線に合わせて作られているので、再現特性の歪みを心配する必要はない。
図６に、ＣＲＴの代表的なガンマ曲線を示す。図中一点鎖線で示す曲線が、コンピュータ・ディスプレイでデファクトスタンダードとして用いられている入出力特性である。従って、ディスプレイ固有のガンマ曲線がこれとは違う場合には、画像やグラフィックデータの互換性を保つ観点から、コンピュータ内で再現特性をデファクトのガンマ曲線に合わせる場合もある。
このガンマ曲線とは逆の傾向を持つ画像を作成すれば、ＣＲＴの輝度出力による階調の再現特性を暗から明までほぼ直線に保つことができる。画像データの傾向を図６に破線で示す。また、ガンマ補正した再現特性を図６に実線で示す。
【０００５】
しかし、このガンマ曲線に合わせて作られた階調の直線性は、周囲の明るさがある前提条件を満たす場合に限られる。
従って、ＣＲＴの周囲が極端に明るければ、観察画像は非常に暗く観察され、逆にＣＲＴの周囲が極端に暗ければ、観察画像は非常に明るく観察される。
このように、観察画像の階調は、常にベストの状態に保たれるわけではない。実際、表示装置を設置した環境如何では、デファクトのガンマ補正曲線とは異なる方がよい結果が得られる場合もある。
以上のように、一般的な画像表示系においては、最適かつ普遍的なガンマ値というのは存在しない。
更に、観察画像を表示する表示装置の輝度やコントラストを変更する場合には他の理由もある。例えば、患部又は患部と疑われる特定領域の観察が容易なように輝度やコントラストを変更する場合である。
そこで、輝度やコントラストを変更する場合には、観察画像の階調再現特性を適応的に変更する必要がある。
【０００６】
この階調再現特性の変更に、前述したアプリケーション・ソフトウェア（図３）が用いられる。
図７に、アプリケーション・ソフトウェアによる階調再現特性の変更機能を搭載した画像印刷システム（図１）の内部構成例を示す。
画像処理装置１は、画像メモリ１１、可変ガンマ補正部１３、固定ガンマ補正部１５、プリンタドライバ１７とで構成される。
可変ガンマ補正部１３は、アプリケーション・ソフトウェアによる輝度補正処理に対応する。例えば、図３に示すユーザー・インターフェース画面を通じて選択されたガンマ補正曲線によって補正処理を実行する。ここでの輝度補正は可変である。
固定ガンマ補正部１５は、デファクトのガンマ補正処理に対応する。この処理は、表示装置の濃度再現特性をある値に保つための固定処理である。
図８に、システム全体としての等価ガンマ曲線を示す。アプリケーション・ソフトウェアによるガンマ曲線によって輝度補正が加えられた結果、階調再現特性は非線形に変換されている。
【特許文献１】特開昭５６−１０７６７４号公報
【特許文献２】特開２００３−２５９１２２号公報
【特許文献３】特開２００４−２１６５５９号公報
【発明の開示】
【発明が解決しようとする課題】
【０００７】
ところで、従来から表示装置における観察用に階調再現特性を調整又は変更する場合には、あくまで表示信号処理系での一時的な変更に留めるのが通例となっている。すなわち、原画像のデータファイルを更新保存しないのが通例となっている。
従って、観察画像を印刷する場合でも、印刷画像にまではアプリケーション画面で見ている輝度補正の結果を反映させないのが通例とされている。図７の場合であれば、プリンタドライバ１７には、画像メモリ１１から輝度補正されていない印刷画像が読み出されるのが通例である。
観察画像と原画像データとを別に扱うのは、原画像データは他の機器との間で互換性を保つ必要があるためである。
ただし、結果的に、表示結果としての画像（観察画像）と印刷結果としての画像（印刷画像）との間で階調の再現特性が一致しなくなる。例えば、患部を撮影した画像が画像表示装置上ではある特定の輝度補正によってのみ病理判定が可能であるような微妙な階調を含んでいる場合、その画像を印刷装置によって紙などに印刷すると、患部の症状を特定することが困難なものとなる。
【課題を解決するための手段】
【０００８】
本発明者は、以上の技術的課題に着目し、以下の技術手法を提案する。
（Ａ）技術手法１
観察画像を表示画面に表示する画像処理装置又はこれに搭載される印刷制御装置として、
（ａ）観察画像に対する印刷指示の有無を検出する印刷指示検出部と、
（ｂ）印刷指示の検出時、観察画像の原画像データと共に、当該観察画像の観察用に一時的に加えられた階調補正に関する情報を印刷装置、又は外部記憶媒体に出力する階調補正情報出力制御部と
を有するものを提案する。
ここで、階調補正に関する情報とは、ガンマ補正曲線を印刷装置側と一致させるために必要な情報をいう。例えば、ガンマ値、ガンマ曲線を特定するルックアップテーブルデータ、ガンマ曲線を生成する関数、予め用意したガンマ曲線のうち選択したガンマ曲線を特定する識別子その他を使用する。
【０００９】
（Ｂ）技術手法２
印刷装置又はこれに搭載される印刷制御装置として、
（ａ）観察画像の観察用に一時的に加えられた階調補正に関する情報が印刷データに付加されているか否かを判定する階調補正情報検出部と、
（ｂ）階調補正情報が付加されている場合、前記階調補正に関する情報に基づいて印刷データの階調を追加補正し、印刷画像の階調を観察画像に整合する階調整合部と
を有するものを提案する。
【発明の効果】
【００１０】
発明に係る技術手法の採用により、表示画面上で輝度再現特性を一時的に変更した場合でも、観察画像と印刷画像の階調再現特性をある程度一致させることができる。
【発明を実施するための最良の形態】
【００１１】
以下、発明に係る技術手法を採用する画像処理装置の実施形態例を説明する。
なお、本明細書で特に図示又は記載されない部分には、当該技術分野の周知又は公知技術を適用する。
また以下に説明する実施形態は、発明の一つの実施形態であって、これらに限定されるものではない。
【００１２】
（Ａ）画像印刷システム例
図９に、画像印刷システム（図１）の内部構成例を示す。この画像処理装置１は、画像メモリ１１、可変ガンマ補正部１３、固定ガンマ補正部１５、プリンタドライバ１７、印刷指示検出部２１、階調補正情報出力制御部２３とで構成される。
ここで、印刷指示検出部２１は、観察画像に対する印刷指示の有無を検出する処理デバイスである。
また、階調補正情報出力制御部２３は、印刷指示の検出時、観察画像の観察用に可変ガンマ補正部１３で一時的に加えられた階調補正情報Ｄｇを出力する処理デバイスである。なお、階調補正情報Ｄｇは、プリンタドライバ１７を通じて印刷装置９に出力される。
この実施例の場合、階調補正情報Ｄｇは、４種類のガンマ補正のいずれかを特定する選択情報として与えられる。なお、可変ガンマ補正部１３でのガンマ補正が無い場合、階調補正情報Ｄｇは無意データ（例えば、ゼロ）が用いられるものとする。
このプリンタドライバ１７は、観察画像の原画像データと階調補正情報Ｄｇとを印刷装置９に与える処理デバイスである。なお、観察画像の原画像データは、画像メモリ１１から読み出される。
【００１３】
この際、プリンタドライバ１７は、図１０に示す手法その他によって、原画像データと対をなす階調補正情報Ｄｇを印刷装置９に与える。
図１０（Ａ）は、既存のファイルフォーマットの幾つかにおいて用意されたヘッダー内のユーザー定義フィールドを利用して階調補正情報Ｄｇを通知する手法を表している。
図１０（Ｂ）は、データ本体に、少なくとも階調補正情報Ｄｇと原画像データの記録領域を設ける新たなファイルフォーマットを規定する場合の例である。ただし、この場合は、再生側がこのファイルフォーマットに対応している必要がある。
図１０（Ｃ）は、原画像データのファイル名と同名、かつ、拡張子の異なる階調補正情報のデータファイルを定義する例である。
【００１４】
（Ｂ）印刷装置例１
（Ｂ−１）構成例
図１１に、印刷装置９の内部構成例を示す。ここでは、印刷装置９が印刷方式にインクジェット方式を採用する場合について説明する。
印刷装置９は、輝度・濃度変換部９１、階調補正情報検出部９３、階調マッチング部９５、ガンマ変換部９７、ハーフトーニング部９９、ヘッド駆動部１０１とで構成される。
輝度・濃度変換部９１は、印刷データを濃度データに変換する処理デバイスである。
印刷データがカラー画像の場合、輝度・濃度変換部９１は、原色データ（ＲＧＢ２４ビット）を印刷処理系の色データ（ＹＭＣＫ３２ビット）に変換する。この変換処理には、既知の技術を使用する。すなわち、ＬＯＧ変換、マスキング処理、ＵＣＲ／ＢＧ処理を適用する。一般には、３次元のルックアップ・テーブルが用いられる。
印刷データがモノクロ画像の場合、輝度・濃度変換部９１は、輝度データを反転して濃度データに変換する。
【００１５】
階調補正情報検出部９３は、原画像データと共に入力される階調補正情報Ｄｇの有無を検出する処理デバイスである。すなわち、階調補正情報検出部９３は、観察画像の観察用に一時的に加えられた階調補正に関する情報の有無を判定する。ここで、階調補正情報Ｄｇが存在しないとき、又は階調補正情報Ｄｇが無意データのとき、階調補正情報検出部９３は、その旨を階調マッチング部９５に与える。
階調マッチング部９５は、有意の階調補正情報Ｄｇが付与されている場合、印刷画像の階調を観察画像の階調に整合させる処理デバイスである。
図１２に、階調マッチング部９５の内部構成例を示す。この例の場合、階調マッチング部９５は、ガンマ選択情報保持部９５Ａ、ルックアップ・テーブル９５Ｂで構成される。このうち、ルックアップ・テーブル９５Ｂは、画像処理装置側が観察用に使用するガンマ補正（ガンマ曲線）に対応するガンマ変換データを格納する。この例の場合、４種類のガンマ変換データは４つのセグメントに分けて格納されているものとする。
【００１６】
なお、４つのセグメントには、画像処理装置１の可変ガンマ補正部１３に保持されているのとは逆の特性をもつガンマ変換データが格納されているものとする。画像信号の輝度値と濃度値では値が反転する関係にあり、プリンタによる濃度の再現においては信号値が大きくなるにつれて暗く（濃く）再現されるためである。例えば、画像処理装置１の可変ガンマ補正部１３におけるガンマ値が１／１．２であるとするならここで用いるガンマ値は１．２となる。
ガンマ選択情報保持部９５Ａは、階調補正情報Ｄｇによるガンマ変換データの選択情報を保持する記憶デバイスである。すなわち、４つのセグメントのうちいずれを使用するかを指定するデータが記録される。
なお、カスタム設定されたガンマ変換データを用いる場合には、カスタム設定用のセグメントが指定され、その領域に画像処理装置側から与えられた階調補正情報に対応するガンマ変換データが書き込まれるものとする。
また、階調補正情報Ｄｇが無意データの場合、又は階調補正情報Ｄｇが付加されていない場合、階調マッチング部９５は、入力された濃度データをそのまま後段のガンマ変換部９７に出力する。この処理は、ルックアップ・テーブル９５Ｂへの入力を迂回することで実現できる。例えば、入出力の切換スイッチを搭載すれば良い。
【００１７】
ガンマ変換部９７は、印刷画像において濃度が直線状に再現されるように濃度データを補正する信号処理部である。
図１３に、印刷装置９に固有のガンマ特性例を示す。印刷装置９の場合、濃度値が大きくなるほど（暗くなるほど）、再現される濃度値は飽和する特性がある。なお、ガンマ特性は、被記録媒体の種類、被記録媒体に対するインクの浸透性、インクの濃度などの組み合わせに応じて定まる。ガンマ変換部９７は、この被記録媒体を含めた印刷装置９に固有のガンマ特性を逆特性で補正する。
ハーフトーニング処理部（誤差拡散部）９９は、多値多階調の濃度データの階調数を低減して、ＰＮＭ駆動方式に適したデータ形式に変換する処理デバイスである。ここでは、変換後のｎ値のデータをノズル駆動データという。なお、ｎは表現可能な階調数に対応する。従って、１つの画素を形成する最大のインク滴数はｎ−１で与えられる。この実施例の場合、ｎの最大値は４とする。
なお、ノズル駆動データへの変換に際し、ハーフトーニング処理部（誤差拡散部）９９は、誤差拡散処理を実行する。
誤差拡散処理は、連続階調の濃度データを限られた階調値に変換する際に生じる量子化誤差を前方画素に拡散することにより、見かけ上の階調を向上するために実行される。ここで、前方画素とは時系列上の後続画素をいう。
ノズル駆動部１０１は、インク滴の吐出動作を制御する処理デバイスである。ノズル駆動部１０１は、各色別に与えられるノズル駆動データに基づいて印刷ヘッドによるインク滴の吐出動作を制御する。
【００１８】
（Ｂ−２）印刷処理
印刷装置９による印刷処理動作を説明する。この印刷装置９の特徴は、観察画像と印刷画像の階調の再現性を一致させる機能が搭載されている点である。すなわち、観察画像における輝度の階調が補正された分だけ、印刷画像における濃度の階調が補正されて印刷される点である。
例えば、観察画像が明るい方に補正されている場合、印刷装置９は印刷濃度が薄くなるように補正される。また例えば、観察画像が暗い方に補正されている場合、印刷装置９は印刷濃度が濃くなるように補正される。
この観察画像側で加えられた補正の程度を与える情報が階調補正情報Ｄｇである。印刷装置９は、原画像データと共に与えられた階調補正情報Ｄｇに基づいて印刷処理で使用するガンマ変換データを特定する。すなわち、階調マッチング部９５のルックアップ・テーブル９５Ｂのセグメントを指定する。
【００１９】
図１４に、印刷装置９で実行される主要な変換処理を示す。
図１４（Ａ）は、輝度・濃度変換部９１で実行される変換処理を示す。この変換処理により、最高輝度値（２５５）は最低濃度（０）に変換される。また、この変換処理により、最低輝度値（０）は最高濃度（２５５）に変換される。
図１４（Ｂ）は、階調マッチング部９５で実行される変換処理を示す。この変換処理により、濃度データに変換された原画像データは、特性曲線P-Curve(a)〜(d) のいずれかを用いて変換される。この例では、P-Curve(a)が選択された場合に印刷画像が最も濃くなり（暗くなり）、P-Curve(b)、P-Curve(c)、P-Curve(d)の順に印刷画像が薄く（明るく）印刷される。
図１４（Ｃ）は、ガンマ変換部９７で実行される変換処理を示す。この変換処理により、印刷装置９に固有のガンマ特性が補正され、濃度データで与えられる階調が忠実に再現される。
【００２０】
（Ｂ−３）効果
以上説明した画像処理装置１と印刷装置９を組み合わせて画像印刷システムを構築すれば、観察画像に加えた階調補正を印刷画像に反映させることができる。すなわち、観察時と同じ階調表現の画像をいつでも確認することができる。
また、画像処理装置１では原画像データに改変が加えられないため、他の機器との間での情報の互換性を保証できる。
【００２１】
（Ｃ）印刷装置例２
（Ｃ−１）構成例
図１５に、印刷装置９の他の内部構成例を示す。ここでも、印刷装置９は印刷方式にインクジェット方式を採用するものとする。
この印刷装置例の基本的な構成は、印刷装置例１と同じである。違いは、輝度・濃度変換部９１と階調マッチング部９５の機能を一つに統合する点のみである。ここでは、２つの機能を統合したルックアップ・テーブル２０１で実現する。
図１６に、ルックアップ・テーブル２０１の内部構成を示す。ルックアップ・テーブル２０１は、図１２に示す階調マッチング部９５の内部構成と基本的に同じである。すなわち、ガンマ選択情報保持部２０３、統合ルックアップ・テーブル２０５で構成される。このうち、統合ルックアップ・テーブル２０５には、輝度・濃度変換用の入出力関係と階調補正マッチング用の入出力関係を統合したガンマ変換データが格納されている。この例の場合、４種類のガンマ変換データは４つのセグメントに分けて格納されている。
ガンマ選択情報保持部２０３は、階調補正情報Ｄｇによるガンマ変換データの選択情報を保持する記憶デバイスである。すなわち、４つのセグメントのうちいずれを使用するかを指定するデータが記録される。
【００２２】
（Ｂ−２）印刷処理及び効果
図１７に、この印刷装置で実行される主要な変換処理を示す。
図１７（Ａ）は、ルックアップ・テーブル２０１で実行される変換処理に対応する。ルックアップ・テーブル２０１は、輝度・濃度変換と階調補正を統合した入出力関係であるため、特性曲線P-Curve(a)〜(d) は輝度・濃度変換特性を基本特性とした入出力関係として与えられる。すなわち、最高輝度値（２５５）は最低濃度（０）に変換される。また、この変換処理により、最低輝度値（０）は最高濃度（２５５）に変換される。
なお、図１７（Ｂ）は、ガンマ変換部９７で実行される変換処理を示す。この変換処理により、印刷装置９に固有のガンマ特性が補正され、濃度データで与えられる階調が忠実に再現される。
以上のように、この構成例によっても、観察画像に加えた階調補正を印刷画像に反映させることができる。
【００２３】
（Ｄ）印刷装置例３
（Ｄ−１）構成例
図１８に、印刷装置９の他の内部構成例を示す。ここでも、印刷装置９は印刷方式にインクジェット方式を採用するものとする。
この印刷装置例も、その基本的な構成は印刷装置例１と同じである。違いは、階調マッチング部９５とガンマ変換部９７の機能を一つに統合する点のみである。ここでは、２つの機能を統合したルックアップ・テーブル２０７で実現する。
このルックアップ・テーブル２０７の構成は図１６と同じである。すなわち、ルックアップ・テーブル２０１と同じである。ただし、その変換対象としての入力データは、輝度・濃度変換後の濃度データである。また、その変換後の出力データは、ガンマ補正後の濃度データである。
【００２４】
（Ｄ−２）印刷処理及び効果
図１９に、この印刷装置で実行される主要な変換処理を示す。
図１９（Ａ）は、輝度・濃度変換部９１で実行される変換処理を示す。この変換処理により、最高輝度値（２５５）は最低濃度（０）に変換される。また、この変換処理により、最低輝度値（０）は最高濃度（２５５）に変換される。
図１９（Ｂ）は、ルックアップ・テーブル２０７で実行される変換処理に対応する。ルックアップ・テーブル２０７は、階調補正と固定のガンマ補正を統合した入出力関係であるため、特性曲線P-Curve(a)〜(d) はガンマ曲線を基本特性とした入出力関係として与えられる。この変換処理により、観察画像に対する階調補正を加味して、印刷装置９に固有のガンマ特性を補正できる。すなわち、濃度データで表される階調を忠実に再現できる。
以上のように、この構成例によっても、観察画像に加えた階調補正を印刷画像に忠実に反映させることができる。
【００２５】
（Ｅ）印刷装置例４
（Ｅ−１）構成例
図２０に、印刷装置９の他の内部構成例を示す。ここでも、印刷装置９は印刷方式にインクジェット方式を採用するものとする。
この印刷装置例も、その基本的な構成は印刷装置例１と同じである。違いは、輝度・濃度変換部９１と、階調マッチング部９５と、ガンマ変換部９７の機能を一つに統合する点のみである。ここでは、３つの機能を統合したルックアップ・テーブル２０９で実現する。
このルックアップ・テーブル２０９の構成は図１６と同じである。すなわち、ルックアップ・テーブル２０１と同じである。ただし、その変換対象としての入力データは、輝度・濃度変換前の原画像データである。また、その変換後の出力データは、ガンマ補正後の濃度データである。
【００２６】
（Ｅ−２）印刷処理及び効果
図２１に、この印刷装置で実行される主要な変換処理を示す。
図２１、ルックアップ・テーブル２０９で実行される変換処理を示す。この変換処理により、最高輝度値（２５５）は最低濃度（０）に変換される。また、この変換処理により、最低輝度値（０）は最高濃度（２５５）に変換される。
この変換処理の場合、特性曲線P-Curve(a)〜(d) は輝度・濃度変換特性とガンマ補正特性とを基本特性とした入出力関係となる。
以上のように、この構成例によっても、観察画像に加えた階調補正を印刷画像に忠実に反映させることができる。
【００２７】
（Ｆ）他の実施形態
（ａ）前述の実施例では、医療診断用画像を処理する画像処理装置を想定した。しかし、画像処理装置は医療診断に最適化された専用装置に限らない。
例えば汎用コンピュータ、ビデオカメラ、デジタルカメラ、ゲーム機器、スキャナ、携帯情報端末（携帯型のコンピュータ、携帯電話機、携帯型ゲーム機、電子書籍等）、画像再生装置（例えば、光ディスク装置、ホームサーバー）、発明に係る機能を搭載した処理ボードや処理カードが含まれる。また、画像処理機能と印刷機能を搭載した複合機にも適用できる。
なおいずれの画像処理装置の場合にも、筐体と、信号処理部と、外部インターフェースとを共通構成とし、商品形態に応じた周辺装置が組み合わされて構成される。例えば、ビデオカメラやデジタルカメラであれば、前述の構成に加え、カメラユニットや撮像された映像データを記憶媒体に保存するための書き込み回路を有する。
また例えば、携帯電話機その他の通信機能を有する電子機器であれば、前述の構成に加え、送受信回路やアンテナを有する。
【００２８】
（ｂ）前述の実施例では、印刷装置の印刷方式にインクジェット方式を採用した。しかし、レーザー方式を採用しても良い。
（ｃ）前述の実施例では、階調補正情報が選択情報の場合について説明した。しかし、ガンマ値、ガンマ曲線を特定するルックアップテーブルデータ、ガンマ曲線を生成する関数その他が与えられる場合にも適用できる。
（ｄ）前述の実施例には、発明の趣旨の範囲内で様々な変形例が考えられる。また、本明細書の記載に基づいて創作される各種の変形例及び応用例も考えられる。
【図面の簡単な説明】
【００２９】
【図１】画像印刷システムの構成例を示す図である。
【図２】モノクロ画像の表示例を示す図である。
【図３】階調補正用のユーザー・インターフェース例を示す図である。
【図４】選択可能な階調補正曲線例を示す図である。
【図５】任意の階調補正曲線を作成する際に使用するユーザー・インターフェース例を示す図である。
【図６】ＣＲＴの代表的なガンマ曲線を示す図である。
【図７】画像印刷システムの内部構成例（従来例）を示す図である。
【図８】画像印刷システム全体としての等価ガンマ曲線を示す図である。
【図９】画像印刷システムの内部構成例（実施例）を示す図である。
【図１０】階調補正情報の通知に使用するファイルフォーマット例を示す図である。
【図１１】印刷装置の内部構成例を示す図である。
【図１２】階調マッチング部の構成例を示す図である。
【図１３】印刷装置に固有のガンマ特性例を示す図である。
【図１４】印刷装置で実行される変換処理に対応する特性曲線図である。
【図１５】印刷装置の他の内部構成例を示す図である。
【図１６】ルックアップ・テーブルの内部構成例を示す図である。
【図１７】印刷装置で実行される変換処理に対応する特性曲線図である。
【図１８】印刷装置の他の内部構成例を示す図である。
【図１９】印刷装置で実行される変換処理に対応する特性曲線図である。
【図２０】印刷装置の他の内部構成例を示す図である。
【図２１】印刷装置で実行される変換処理に対応する特性曲線図である。
【符号の説明】
【００３０】
１          画像印刷システム
３          表示装置
５          通信経路
７          外部記憶媒体
９          印刷装置
１３        可変ガンマ補正部
１５        固定ガンマ補正部
１７        プリンタドライバ
２１        印刷指示検出部
２３        階調補正情報出力制御部
９３        階調補正情報検出部
９５        階調マッチング部
９５Ａ      ガンマ選択情報保持部
９５Ｂ      ルックアップ・テーブル
【図１】
2006113987.tif 000003
【図３】
2006113987.tif 000004
【図４】
2006113987.tif 000005
【図５】
2006113987.tif 000006
【図６】
2006113987.tif 000007
【図７】
2006113987.tif 000008
【図８】
2006113987.tif 000009
【図９】
2006113987.tif 000010
【図１０】
2006113987.tif 000011
【図１１】
2006113987.tif 000012
【図１２】
2006113987.tif 000013
【図１３】
2006113987.tif 000014
【図１４】
2006113987.tif 000015
【図１５】
2006113987.tif 000016
【図１６】
2006113987.tif 000017
【図１７】
2006113987.tif 000018
【図１８】
2006113987.tif 000019
【図１９】
2006113987.tif 000020
【図２０】
2006113987.tif 000021
【図２１】
2006113987.tif 000022
【図２】
2006113987.tif 000023